(57)【特許請求の範囲】
【請求項１】
平面で矩形状をなす収納具本体の一端側と他端側をそれぞれ内側に折り曲げて、ロックアウトする装置に使用されるロックアウト用具を前記収納具本体の内側に収納すると共に、前記収納具本体の一端側と他端側を重ね合わせた開閉可能なロックアウトシステム・ウエストケースであって、
前記ロックアウト用具は、ロックアウト用掛け金に施錠する錠を開閉するための鍵と、この鍵を一端に固定した線条体を引出し・引戻し自在に卷回したロック式キーリールホルダであり、
前記収納具本体に、前記ロック式キーリールホルダが前記線条体を、前記収納具本体を開いた状態で収納具本体の長辺方向に対して斜め上に引き出す方向に向けて収納されるロック式キーリールホルダ用収納部と、前記鍵が前記収納具本体を開いた状態で収納具本体の長辺方向に対して斜め下に差し込む方向に収納される鍵用収納部を備えていることを特徴とするロックアウトシステム・ウエストケース。
【請求項２】
請求項１に記載のロックアウトシステム・ウエストケースにおいて、
前記収納具本体の一端側と前記収納具本体の他端側とを連結固定する少なくとも２箇所の留め金具を前記収納具本体に設けてなることを特徴とするロックアウトシステム・ウエストケース。
【請求項３】
請求項１に記載のロックアウトシステム・ウエストケースにおいて、
前記ロックアウト用具は、ロックアウト用掛け金に施錠する錠であり、前記収納具本体に、前記錠のシャンクが前記収納具本体の外側へ突出するように前記錠を収納する錠用収納部を備えていることを特徴とするロックアウトシステム・ウエストケース。
【請求項４】
請求項１に記載のロックアウトシステム・ウエストケースにおいて、
前記ロックアウト用具は、ロックアウト用多重ロック器具であり、前記収納具本体に、前記ロックアウト用多重ロック器具を収納して開放可能に固定する掛け金用収納部を備えていることを特徴とするロックアウトシステム・ウエストケース。
【請求項５】
請求項１に記載のロックアウトシステム・ウエストケースにおいて、
前記ロックアウト用具は、複数の錠を掛止可能にする円柱状に形成されたスティックロックと多重ロック器具であり、前記収納具本体に、前記多重ロック器具とスティックロックを収納する多重ロック器具とスティックロックの収納部を備えていることを特徴とするロックアウトシステム・ウエストケース。
【請求項６】
平面で矩形状をなす収納具本体の一端側と他端側をそれぞれ内側に折り曲げて、ロックアウトする装置に使用されるロックアウト用具を前記収納具本体の内側に収納すると共に、前記収納具本体の一端側と他端側を重ね合わせた開閉可能なロックアウトシステム・ウエストケースであって、
前記ロックアウト用具は、ロックアウト用多重ロック器具と、このロックアウト用多重ロック器具に施錠する錠と、この錠を開閉するための鍵と、この鍵を一端に固定した線条体を引出し・引戻し自在に卷回したロック式キーリールホルダと、複数の錠を掛止可能にする円柱状に形成されたスティックロックと多重ロック器具であり、
前記収納具本体の一端側と前記収納具本体の他端側とを連結固定する少なくとも２箇所の留め金具を前記収納具本体に設けると共に、
前記収納具本体に、前記ロック式キーリールホルダが前記線条体を、前記収納具本体を開いた状態で収納具本体の長辺方向に対して斜め上に引き出す方向に向けて収納されるロック式キーリールホルダ用収納部と、前記鍵のシャンクが、前記収納具本体を開いた状態で収納具本体の長辺方向に対して斜め下に差し込む方向に収納される鍵用収納部と、前記錠のシャンクが前記収納具本体の外側へ突出するように前記錠を収納する錠用収納部と、前記ロックアウト用多重ロック器具を収納して解放可能に固定する多重ロック器具用収納部と、前記スティックロックを収納するスティックロック収納部を備えていることを特徴とするロックアウトシステム・ウエストケース。
【請求項７】
前記錠用収納部は、前記シャンクが収納具本体の外側へ進退移動できるように前記錠を収納する構成であることを特徴とする請求項３又は６記載のロックアウトシステム・ウエストケース。
【請求項８】
前記ロック式キーリールホルダ用収納部に斜めに収納されたロック式キーリールホルダの掛け金具と前記鍵用収納部に斜めに配置された鍵とのなす角度が９０度より小さいことを特徴とする請求項１又は６記載のロックアウトシステム・ウエストケース。
【発明の詳細な説明】
【技術分野】
【０００１】
この発明は、ロックアウトシステム・ウエストケースに関し、特にロックアウトする装置に使用されるロックアウト用具を収納するロックアウトシステム・ウエストケースに関する。
【背景技術】
【０００２】
近年、日本の各企業では、製造現場において作業者の安全を確保するために災害件数の低減努力と、さらにロックアウトシステムの導入を検討している。その背景には、ＪＩＳＢ９７００−２（ＩＳＯ１２００−２）で、機械類の安全性において安全防護および付加保護方策として、保全及び修理時に動力供給を遮断する際に、すべての遮断装置を遮断の位置に施錠することを規定している。その結果としてロックアウトのニーズが高まっている。
【０００３】
ロックアウトとは、機械、設備、ロボット等の動力設備装置に供給されるエネルギー（動力）源を施錠することによって遮断もしくは遮断し続ける方法をいう。しかも、単に、動力源のスイッチを遮断してエネルギーの供給を停止するだけでなく、遮断したスイッチ等の操作ができないように、ロックアウトする装置で遮断状態を固定するものである。例えば、上記の動力設備装置の停止ボタンを解除できないように施錠することで、作業者の安全を確保する。
【０００４】
ロックアウトする装置とは、上記の動力設備装置のスイッチ、バルブ、開閉レバーなどの動力エネルギーの供給操作部を遮断した状態で固定するための、鍵、カバー、掛け金などの装置をいう。ロックアウトシステムとは、ロックアウトする装置としての例えば南京錠や西洋錠などの錠を組み合わせることで誤動作を防止するシステムである。このように、ロックアウトをすることによって、動力設備装置の誤操作を防止し、動力設備装置の可動範囲内で作業を行うすべての作業者の安全が確保される。
【０００５】
従来のロックアウトする装置としては、特許文献１に示されているように、例えば、機器装置の保守点検作業を複数人で行う場合に、個々の作業者の安全を確保するために、前記機器装置の回路遮断機を複数の錠前を用いて施錠する多重ロックアウトができる装置が開示されている。すなわち、一人の作業者が作業を終わったために一つの南京錠を開錠しても、他の作業者が引き続き前記回路遮断機と連動する機器装置の保守点検作業を行っている場合は、他の作業者が各自の南京錠を開錠しなければ前記回路遮断機を開放することができないので、個々の作業者の安全が確実に確保されるものである。
【特許文献１】特開２００５−３４７１６３号公報
【発明の開示】
【発明が解決しようとする課題】
【０００６】
ところで、従来のロックアウトする装置においては、鍵、多重ロック器具、南京錠などの各種のロックアウト用具が使用されるので、個々の作業者が自分の安全を確保するために、各種のロックアウト用具を常に携帯する必要がある。しかしながら、各種のロックアウト用具を確実に携行し、かつ脱落防止、置き忘れ防止の対策がとられているケースはなかった。
【０００７】
この発明は、作業者が常にロックアウトシステム・ウエストケースを携帯することで、動力設備装置に施錠して作業者自身の安全を確保し、各種のロックアウト用具を容易に出し入れすることを目的とする。
【課題を解決するための手段】
【０００８】
請求項１に記載の発明は、平面で矩形状をなす収納具本体の一端側と他端側をそれぞれ内側に折り曲げて、ロックアウトする装置に使用されるロックアウト用具を前記収納具本体の内側に収納すると共に、前記収納具本体の一端側と他端側を重ね合わせるロックアウトシステム・ウエストケースであって、前記ロックアウト用具は、ロックアウト用多重ロック器具に施錠する錠を開閉するための鍵と、この鍵を一端に固定した線条体を引出し・引戻し自在に卷回したロック式キーリールホルダであり、前記収納具本体に、前記ロック式キーリールホルダが前記線条体を、前記収納具本体を開いた状態で収納具本体の長辺方向に対して斜め上に引き出す方向に向けて収納されるロック式キーリールホルダ用収納部と、前記鍵が、前記収納具本体を開いた状態で収納具本体の長辺方向に対して斜め下に差し込む方向に収納される鍵用収納部を備えているロックアウトシステム・ウエストケースである。
【０００９】
請求項２に記載の発明は、請求項１に記載のロックアウトシステム・ウエストケースにおいて、前記収納具本体の一端側と前記収納具本体の他端側とを連結固定する少なくとも２箇所の留め金具を前記収納具本体に設けてなるロックアウトシステム・ウエストケースである。
【００１０】
請求項３に記載の発明は、請求項１に記載のロックアウトシステム・ウエストケースにおいて、前記ロックアウト用具は、ロックアウト用多重ロック器具に施錠する錠であり、前記収納具本体に、前記錠のシャンクが前記収納具本体の外側へ突出するように前記錠を収納する錠用収納部を備えているロックアウトシステム・ウエストケースである。
【００１１】
請求項４に記載の発明は、請求項１に記載のロックアウトシステム・ウエストケースにおいて、前記ロックアウト用具は、ロックアウト用多重ロック器具であり、前記収納具本体に、前記ロックアウト用多重ロック器具を収納して開放可能に固定する掛け金用収納部を備えているロックアウトシステム・ウエストケースである。
【００１２】
請求項５に記載の発明は、請求項１に記載のロックアウトシステム・ウエストケースにおいて、前記ロックアウト用具は、複数の錠を掛止可能にする円柱状に形成されたスティックロックと多重ロック器具であり、前記収納具本体に、前記多重ロック器具とスティックロックを収納する多重ロック器具とスティックロック収納部を備えているロックアウトシステム・ウエストケースである。
【００１３】
請求項６に記載の発明は、平面で矩形状をなす収納具本体の一端側と他端側をそれぞれ内側に折り曲げて、ロックアウトする装置に使用されるロックアウト用具を前記収納具本体の内側に収納すると共に、前記収納具本体の一端側と他端側を重ね合わせるロックアウトシステム・ウエストケースであって、前記ロックアウト用具は、ロックアウト用多重ロック器具と、このロックアウト用多重ロック器具に施錠する錠と、この錠を開閉するための鍵と、この鍵を一端に固定した線条体を引出し・引戻し自在に卷回したロック式キーリールホルダと、複数の錠を掛止可能にする円柱状に形成されたスティックロックと多重ロック器具であり、前記収納具本体の一端側と前記収納具本体の他端側とを連結固定する少なくとも２箇所の留め金具を前記収納具本体に設けると共に、前記収納具本体に、前記ロック式キーリールホルダが前記線条体を、前記収納具本体を開いた状態で収納具本体の長辺方向に対して斜め上に引き出す方向に向けて収納されるロック式キーリールホルダ用収納部と、前記鍵が、前記収納具本体を開いた状態で収納具本体の長辺方向に対して斜め下に差し込む方向に収納される鍵用収納部と、前記錠のシャンクが前記収納具本体の外側へ突出するように前記錠を収納する錠用収納部と、前記ロックアウト用多重ロック器具を収納して解放可能に固定する多重ロック器具用収納部と、前記スティックロックを収納するスティックロック用収納部を備えているロックアウトシステム・ウエストケースである。
【００１４】
請求項７に記載の発明は、請求項３または請求項６に記載のロックアウトシステム・ウエストケースにおいて、前記ロックアウトシステム・ウエストケースにおいて、前記錠用収納部は、前記シャンクが収納具本体の外側へ進退移動できるように前記錠を収納する構成であるロックアウトシステム・ウエストケースである。
【００１５】
請求項８に記載の発明は、請求項１または請求項６に記載のロックアウトシステム・ウエストケースにおいて、前記ロック式キーリールホルダ用収納部に斜めに収納されたロック式キーリールホルダの掛け金具と前記鍵用収納部に斜めに配置された鍵とのなす角度が９０度より小さいロックアウトシステム・ウエストケースである。
【発明の効果】
【００１６】
以上のごとき課題を解決するための手段から理解されるように、この発明によれば、ロック式キーリールホルダ用収納部と鍵用収納部を備えているので、鍵は収納具本体が開いた状態で収納具本体の長辺方向に対して鍵用収納部から斜め上方向に容易に引き出すことができる。また、引き出した鍵を持って線条体をロック式キーリールホルダから同様に斜め上方向に容易に引き出すことができる。この引き出した鍵を用いて錠を施錠あるいは開錠した後は、鍵を持ったまま力を緩めるだけで線条体を、前記収納具本体を開いた状態で収納具本体の長辺方向に対して斜め下方向へ容易に引き戻すことができる。次いで、前記鍵を鍵用収納部に、前記収納具本体を開いた状態で収納具本体の長辺方向に対して斜め下方向に差し込んで容易に収納することができる。
【００１７】
また、この発明によれば、収納具本体の一端側と前記収納具本体の他端側とを連結固定する少なくとも２箇所の留め金具を収納具本体に設けたので、前記収納具本体の一端側の両側コーナ部が大きくめくり上がらないように抑えることができる。また、ロックアウトシステム・ウエストケースから各種のロックアウト用具を容易に出し入れすることができる。
【００１８】
また、この発明によれば、錠用収納部を備えているので、錠のシャンクが前記収納具本体の外側へ突出するように前記錠を錠用収納部に容易に収納することができる。しかも、前記収納具本体の外側へ突出したシャンクを、例えば保管室の掛止具に引っ掛けることができるので、ロックアウトシステム・ウエストケースを容易に保管することが可能となる。
【００１９】
また、この発明によれば、多重ロック器具用収納部を備えているので、ロックアウト用多重ロック器具を多重ロック器具用収納部に容易に収納し、あるいは、容易に取り出すことができる。
【００２０】
また、この発明によれば、スティックロック収納部を備えているので、円柱状に形成されたスティックロックを容易に収納し、あるいは、容易に取り出すことができる。
【００２１】
また、この発明によれば、収納具本体の一端側と、前記収納具本体の他端側とを連結固定する少なくとも２箇所の留め金具を収納具本体に設け、上述したロック式キーリールホルダ用収納部、鍵用収納部、錠用収納部、多重ロック器具収納部、円柱状に形成されたスティックロック収納部を備えているので、上述したのと同様の効果を奏する。しかも、作業者が常にロックアウトシステム・ウエストケースを携帯することにより、機械、設備、ロボット等の動力設備装置の例えば停止ボタンに施錠して、作業者が自分自身の安全を確保することができると共に、各種のロックアウト用具を容易に出し入れすることができる。これにより、ロックアウトシステムをより一層徹底して安全に対する作業者の認識の向上を図ることができる。
【００２２】
また、この発明によれば、前記ロック式キーリールホルダ用収納部に斜めに収納されたロック式キーリールホルダの掛け金具と前記鍵用収納部に斜めに配置された鍵とのなす角度が９０度より小さくなっていることで、鍵に斜め下から力が働いて鍵が脱落しそうになっても脱落することはない。
【発明を実施するための最良の形態】
【００２３】
以下、この発明の実施の形態について図面を参照して説明する。
【００２４】
図１ないしは図３を参照するに、この実施の形態に係るロックアウトシステム・ウエストケース１は、ロックアウトする装置に使用される各種のロックアウト用具３を収納する矩形状をなす収納具本体としての例えば帯状体５（ウェストバック本体）を備えている。この実施の形態ではこの帯状体５は例えば皮製であり、前記帯状体５の一端側と他端側をそれぞれ内側に折り曲げて、前記帯状体５の一端側を外側にし、前記帯状体５の他端側を内側にして重ね合わせた開閉可能なものである。すなわち、図１は収納具本体である帯状体５が開いた状態を、図２、３は前記帯状体５が閉じた状態を示し、図２は表面を、図３は裏面を示している。さらに、上記の各種のロックアウト用具３を収納した状態で作業者（人間）の腰部に装着することができる構成である。例えば、図３に示されているように、帯状体５の外面側のほぼ中間には作業者の腰部に着けるベルト７を通すためのベルト用掛止部９が設けられている。
【００２５】
一方、帯状体５には、図２に示されているように、上記の帯状体５の一端側の端縁１１と前記帯状体５の他端側とを連結固定するための留め金具１３が帯状体５に少なくとも２箇所、設けられている。この実施の形態では、留め金具１３としては差込尾錠が用いられており、２箇所の差込尾錠が帯状体５の幅方向の両側縁に近い位置に配置されている。すなわち、各差込尾錠のオス側が帯状体５の一端側に設けられており、各差込尾錠のメス側が帯状体５の他端側に設けられている。なお、留め金具１３としては上記の差込尾錠に限定されず、他の形態の留め金具であっても良い。
【００２６】
これにより、例えば作業者の腰部に装着されたロックアウトシステム・ウエストケース１から各種のロックアウト用具３を容易に出し入れすることができ、しかも、２箇所の留め金具１３が帯状体５の一端側の端縁１１の幅方向の両側縁に近い位置に配置されているので、前記端縁１１の両側コーナ部１５が大きくめくり上がらないように抑えることができる。
【００２７】
また、この実施の形態では、図１に示されているように、上記のロックアウト用具３は、例えば、ロックアウトする装置に使用されるロックアウト用多重ロック器具１７と、このロックアウト用多重ロック器具１７に施錠する錠としての例えば南京錠１９と、この南京錠１９を開閉するための鍵２１（キー）と、この鍵２１を一端に固定した線条体としての例えば金属製ワイヤ２３（図５参照）を引出し・引戻し自在に卷回したロック式キーリールホルダ２５と、複数の南京錠１９を掛止可能な円柱状に形成されたスティックロック２７である。
【００２８】
上記の掛け金１７は、安全性を確保するため、機械、設備、ロボット等の動力設備装置の例えば停止ボタンに、複数の作業者が同時に対象物を施錠してロックアウトするものである。
【００２９】
より詳しくは、ロックアウト用多重ロック器具１７は、図４及び図５に示されているように、第１基部２９に設けた湾曲形状の第１ジョー３１と、第２基部３３に設けた湾曲形状の第２ジョー３５が、支軸３７で開閉可能に軸支されると共に、第１、第２基部２９，３３には複数箇所、この実施の形態では６箇所のロック用穴部３９が設けられており、前記第１、第２ジョー３１，３５が閉じてほぼ円形状になったときに、第１、第２基部２９，３３が重ね合い、かつ、前記６箇所の対応する各ロック用穴部３９が重ね合う構成である。したがって、この実施の形態では６人の作業者の６個の南京錠１９を掛けることができる。
【００３０】
南京錠１９は、箱状の錠本体４１と、Ｕ字型の金属のシャンク４３とで構成されている。所謂、鍵２１で錠本体４１の内部のシリンダを動かすことで前記ツル４３が持ち上がり、一方の足と錠本体４１の間に空間が生じるものである。
【００３１】
前記ロック式キーリールホルダ２５は、金属製ワイヤ２３（図５参照）が円盤状のホルダ本体４５の内部に常時引き込まれる方向に付勢された状態で巻き込まれており、ホルダ本体４５の外周には金属製ワイヤ２３を出し入れ可能な開口を有するキーホルダ受け部４７が設けられている。金属製ワイヤ２３の一端にはロック式キーホルダ部４９が設けられており、このロック式キーホルダ部４９が前記ロック式キーホルダ受け部４７に係脱可能に設けられている。したがって、常時は金属製ワイヤ２３の引き込み方向の付勢力によりロック式キーホルダ部４９がロック式キーホルダ受け部４７で係止されている状態にある。また、ロック式キーホルダ部４９にはリング５１を介して鍵２１（キー）が取り付けられている。さらに、ホルダ本体４５の片面には図１に示されているように掛止金具５３が設けられている。
【００３２】
上記の円柱状に形成されたスティックロック２７（２０１）については、詳細を後述する。
【００３３】
また、上記の帯状体５の内面側には、上記の各ロックアウト用具３を収納するための各種収納部が設けられている。
【００３４】
帯状体５の内面側には、巻付け方向のほぼ中央に、ロック式キーリールホルダ２５を収納するためのロック式キーリールホルダ用収納部５５と、鍵２１（キー）を収納する鍵用収納部５７と、南京錠１９を収納するための錠用収納部５９とを兼用した箱形形状のホルダ・錠用収納部６１が設けられている。このホルダ・錠用収納部６１は収納具本体５の長辺方向（図１の左右方向）に対して左斜め上側、つまりロックアウトシステム・ウエストケース１を作業者に装着したときに上方側が開口している。
【００３５】
ロック式キーリールホルダ用収納部５５としては、ホルダ・錠用収納部６１の図１において右斜め下側の一部が開口してホルダ挿入口６３が形成されており、ロック式キーリールホルダ２５が図４に示されているように前記ホルダ挿入口６３から挿入されて、金属製ワイヤ２３が作業者の腰部に対して斜め上に引き出される方向に向けて収納され、掛止金具５３でロック式キーリールホルダ用収納部５５に掛止される構成である。
【００３６】
また、鍵用収納部５７としては、上記の鍵２１（キー）が、ホルダ・錠用収納部６１の収納具本体５の長辺方向（図１の左右方向）に対して左斜め上側、つまりロックアウトシステム・ウエストケース１を作業者に装着したときに上方側から、作業者の腰部に対して斜め下方向に差し込む方向に収納される袋状の収納部が設けられている。
【００３７】
したがって、ロックアウトシステム・ウエストケース１が作業者の腰部に装着された状態では、図５に示されているように、鍵２１を鍵用収納部５７から収納具本体５の長辺方向（図１の左右方向）に対して斜め上方向に容易に引き出すことができる。次に、作業者は、前記引き出した鍵２１を持って、キーホルダ部４９を金属製ワイヤ２３の引き戻される付勢力に抗してロック式キーリールホルダ２５から収納具本体５の長辺方向（図１の左右方向）に対して斜め上方向に容易に引き出すことができる。つまり、作業者が手で引き出し易い方向に金属製ワイヤ２３を引き出すことができる。
【００３８】
上記の引き出した鍵２１を用いて南京錠１９を施錠あるいは開錠した後は、鍵２１を持ったまま力を緩めるだけで金属製ワイヤ２３が収納具本体５の長辺方向（図１の左右方向）に対して斜め下へ容易に引き戻されることになる。ロック式キーホルダ部４９がロック式キーホルダ受け部４７で係止されてから、前記鍵２１を鍵用収納部５７に斜め下方向に差し込んで容易に収納することができる。
【００３９】
また、錠用収納部５９としては、ホルダ・錠用収納部６１の図１において左斜め下側の側壁６５には、南京錠１９のシャンク４３を掛けることができるようにツル４３が通る錠用穴部６７が設けられている。
【００４０】
したがって、図４に示されているように、南京錠１９は鍵２１でシャンク４３をアンロックした状態で、図１に示されているように前記シャンク４３を錠用穴部６７に通して側壁６５に掛けてから、鍵２１でシャンク４３をロックし、錠本体４１を錠用収納部５９に容易に収納することができる。その結果、図１に示されているように、前記南京錠１９は、シャンク４３が帯状体５の外側へ突出するように収納されることになる。しかも、図１の二点鎖線で示されているように、前記シャンク４３が帯状体５の外側へ進退移動できるように南京錠１９を収納することができる。
【００４１】
以上のことから、ロックアウトシステム・ウエストケース１がロックアウト用具３を収納した状態では、通常は、図１の二点鎖線で示されているように、シャンク４３の突出長さが短くなるように南京錠１９が錠用収納部５９の中へ移動されている。これにより、ロックアウトシステム・ウエストケース１を携帯するときはシャンク４３が邪魔にならない。
【００４２】
一方、図１の実線で示されているように、シャンク４３を帯状体５の外側へ長くなるように突出させてから、図２に示されているように、シャンク４３の部分を例えば保管室の掛止具に引っ掛けることができるので、ロックアウトシステム・ウエストケース１を容易に保管することが可能となる。
【００４３】
また、帯状体５の内面側には、収納具本体５の長辺方向（図１の左右方向）に対して右斜め下側に、前記ロックアウト用多重ロック器具１７を収納し、かつ解放可能に固定する多重ロック器具用収納部６９が設けられている。
【００４４】
図１及び図４を参照するに、前記多重ロック器具用収納部６９は、ロックアウト用多重ロック器具１７の第１、第２基部２９，３３を重ね合わせた状態で、第１、第２基部２９，３３を挿入する多重ロック器具収納片７１と、この多重ロック器具収納片７１から一体的に突設したバンド状の固定片７３と、この固定片７３の先端部及び帯状体５の内面に設けた固定具としての例えばホックボタン７５Ａ，７５Ｂとが設けられている。
【００４５】
したがって、図４に示されているように、多重ロック器具１７の第１、第２基部２９，３３を多重ロック器具収納片７１に挿入すると、ほぼ円形状になった第１、第２ジョー３１，３５が大きいので、それ以上は挿入されずに停止する。この多重ロック器具１７が抜けないように前記固定片７３のホックボタン７５Ａを帯状体５の内面のホックボタン７５Ｂに固定することで、多重ロック器具１７を多重ロック器具収納部６９に容易に収納することができる。その逆に、前記固定片７３のホックボタン７５Ａを外すことで、ロックアウト用多重ロック器具１７を多重ロック器具収納片７１から容易に取り出すことができる。
【００４６】
また、帯状体５の内面側には、巻付け方向の図１において左斜め上側に、前記円柱状に形成されたスティックロック２７を収納するスティックロック用収納部７７が設けられている。
【００４７】
図１及び図４を参照するに、前記スティックロック用収納部７７は、前記スティックロック２７を挿入するための２つの筒状部７９が帯状体５の内面側に固定されている。なお、この実施の形態では、上記の筒状部７９は、皮製のバンドを折り返して重ね合わせた端部を帯状体５の内面側に留め具８１で固定して形成されている。
【００４８】
以上のように、作業者が常にロックアウトシステム・ウエストケース１を携帯することにより、機械、設備、ロボット等の動力設備装置の例えば停止ボタンに施錠して、作業者が自分自身の安全を確保することができると共に、前述したように各種のロックアウト用具３を容易に出し入れすることができる。これにより、ロックアウトシステムをより一層徹底して安全に対する作業者の認識の向上を図ることができる。
【００４９】
図１に示されているように、前記ロック式キーリールホルダ用収納部５５に斜めに収納されたロック式キーリールホルダ２５の掛け金具５３の軸心線と前記鍵用収納部５９に斜めに配置された鍵２１の軸心線とのなす角度α１が９０度より小さくすることで、鍵５３に斜め下から力が働いて鍵５３が脱落しそうになっても脱落することはない。
【００５０】
図１２は、上述したスティックロック２７であるスティックロック２０１が使用されるピンロック型回路遮断器ＣＦの概略を示す図である。
【００５１】
ピンロック型回路遮断器ＣＦは、制御盤ＢＸや操作盤等に組み込まれて使用されるものである。図１２（ａ）は、ピンロック型回路遮断器ＣＦの押しボタンＢＴが押し込まれていない状態を示してあり、図１２（ｂ）は、ピンロック型回路遮断器ＣＦの押しボタンＢＴがストロークＳＴだけ押し込まれた状態を示してある。
【００５２】
図１２（ａ）の状態では、ピンロック型回路遮断器ＣＦが設けられている制御盤ＢＸにより制御される装置や機械やシステムは作動可能になっており、図１２（ｂ）の状態では、ピンロック型回路遮断器ＣＦが設けられている制御盤ＢＸにより制御される装置や機械やシステムは、たとえば、電源の供給が遮断されて動作しないようになっている。
【００５３】
また、図１２（ｂ）の状態（ピンロック型回路遮断器ＣＦの押しボタンＢＴが押し込まれた状態；遮断状態）では、ピンロック型回路遮断器ＣＦに貫通孔（ピン孔）ＨＬが形成されるようになっている。この貫通孔ＨＬに、円柱状に形成されているスティックロック２０１が挿入されて使用されるようになっている。
【００５４】
ここで、スティックロック２０１について詳しく説明する。
【００５５】
図６〜図８は、スティックロック２０１の概略構成を示す図である。より詳しくは、図６は、スティックロック２０１がピンロック型回路遮断器ＣＦの貫通孔ＨＬに設置され、スティックロック２０１の先端部材２１５が本体部２０３から離れて、環状部材２１７に南京錠２２１又は／及び多重ロック器具がかけられている状態を示す図である。図７は、図６におけるＶＩＩ−ＶＩＩ断面を示す図である。図８は、スティックロック２０１の先端部材２１５が本体部２０３に設置された状態を示す図である。
【００５６】
多重ロック器具２０１は、筒状（たとえば円筒状）に形成されている本体部２０３とこの本体部２０３に一体的に設けられたストッパー部材２０５と本体部２０３に対して着脱自在になっている先端部材２１５と環状部材２１７とを備えて構成されている。
【００５７】
たとえば金属等の剛性の高い材料で構成され外力に対してほとんど変形しない本体部２０３の外径は、ピンロック型回路遮断器ＣＦの遮断状態で形成される貫通孔ＨＬの内径よりも僅かに小さくなっている。また、本体部２０３の長さは、ピンロック型回路遮断器ＣＦの貫通孔ＨＬの長さよりも長くなっている。本体部２０３が、ピンロック型回路遮断器ＣＦの貫通孔ＨＬに挿入されている状態では、この本体部２０３が邪魔になりピンロック型回路遮断器ＣＦのボタンＢＴが復帰状態（図１２（ａ）で示す状態）に戻ることがなく、ピンロック型回路遮断器ＣＦの遮断状態（１２（ｂ）で示す状態）が維持されるようになっている。
【００５８】
本体部２０３と同様に剛性の高い材料で構成されたストッパー部材２０５は、本体部２０３の外径よりも大きな外径で円板状に形成されている。そして、ストッパー部材２０５は、ストッパー部材２０５の厚さ方向が本体部２０３の長手方向と一致していると共にストッパー部材２０５の中心軸が本体部２０３と一致するようにして、本体部２０３の長手方向の一端部側で本体部２０３に溶接等によって一体的に設けられている。なお、ストッパー部材２０５の外径は、ピンロック型回路遮断器ＣＦの貫通孔ＨＬの内径よりも大きく形成されている。
【００５９】
本体部２０３には、ピン部材２０９が設けられている。ピン部材２０９は、たとえば円柱状に形成されており、本体部２０３の長手方向（図６の上下方向）の中間部で、本体部２０３の中心軸（図６の上下方向に延びた中心軸）を通り本体部２０３の直径方向に延伸し本体部２０３の中空部２０７を貫くようにして、本体部２０３に一体的に設けられている。
【００６０】
なお、ピン部材２０９の外径は、本体部２０３の内径よりも小さく形成されており、また、ピン部材２０９の長さは、本体部２０３の外径よりも小さくなっているので、ピン部材２０９が本体部２０３の側面から突出していることはない。
【００６１】
先端部材２１５は、外径が本体部２０３の内径よりも僅かに小さい円柱状の小径部位２１１と、外径が本体部２０３の外径とほぼ等しいかもしくは外径が本体部２０３の外径よりも僅かに小さく本体部２０３の内径よりも大きい円柱状の大径部位２１３とを備えて断付き円柱状に形成されている。なお、小径部位２１１の中心軸と大径部位２１３の中心軸とはお互いがほぼ一致している。
【００６２】
そして、先端部材２１５の小径部位２１１が、本体部２０３の長手方向の他端部側（ストッパー部材２０５とは反対側；図６の下側）の中空部２０７に入り込むことによって、先端部材２１５が本体部２０３に一体的に設置されるようになっている。さらに、先端部材２１５が本体部２０３に一体的に設置された状態では、本体部２０３と先端部材２１５の大径部位２１３とで円柱状の外形が形成される。また、先端部材２１５を本体部２０３に設置したとき、先端部材２１５と干渉しない位置にピン部材２０９が設けられている。
【００６３】
環状部材２１７は、長手方向では剛性が大きい細長い部材（たとえば金属製のワイヤー）の両端部（長手方向の両端部）をお互いに一体的に接続することによって環状に形成されている。そして、環状部材２１７の一端部が本体部２０３に係合し、他端部が先端部材２１５に係合して、本体部２０３と先端部材２１５とが離れないように、本体部２０３と先端部材２１５とをお互いにつないでいる。さらに、先端部材２１５が本体部２０３に一体的に設置された状態（図８参照）では、環状部材２１７が本体部２０３の中空部２０７内に収納されるようになっている。また、先端部材２１５が本体部２０３から離れた状態（図６参照）では、先端部材２１５と本体部２０３との間で環状部材２１７の一部が本体部２０３の外部に露出するようになっている。
【００６４】
さらに詳しく説明すると、環状部材２１７の環の内側をピン部材２０９が貫通するようにして、環状部材２１７が本体部２０３に係合して設けられている。したがって、本体部２０３に係合している環状部材２１７は、本体部２０３から離脱することはないが、本体部２０３に対してある程度自由に移動することができるようになっている。
【００６５】
また、環状部材２１７は、ボルト２１９等の係止部材により、先端部材２１５の小径部２１１の先端部（大径部２１３とは反対側の端面）に一体的に設けられている。そして、先端部材２１５を本体部２０３に設置した状態では、前述したように、環状部材２１７が本体部２０３の内部に収納されるようになっている。また、先端部材２１５が本体部２０３から離れた状態では、環状部材２１７の一部（先端部材２１５側の部位）が本体部２０３の外部に露出するようになっている。
【００６６】
このように露出した環状部材２１７の部位に複数の南京錠２２１又は／及び多重ロック器具をかけることができるようになっている。すなわち、南京錠２２１又は／及び多重ロック器具を施錠したときに南京錠２２１又は／及び多重ロック器具の本体とフックとで南京錠及び多重ロック器具に環状の箇所２２５が形成されるが、この環状になった南京錠２２１、多重ロック器具の箇所２２５を環状部材２１７が貫通し、南京錠２２１、多重ロック器具が環状部材２１７から離脱しないようになっている。
【００６７】
また、本体部２０３をピンロック型回路遮断器ＣＦの貫通孔ＨＬに貫通させ先端部材２１５を本体部２０３から離し環状部材２１７を露出させた状態で、露出した環状部材２１７の部位に南京錠２２１、多重ロック器具のいずれかをかければ、このかけられた南京錠が障害になって、本体部２０３がピンロック型回路遮断器ＣＦの貫通孔ＨＬから完全には抜けないようになっている。
【００６８】
さらに説明すると、ピンロック型回路遮断器ＣＦの形態に対応させてスティックロック２０１の形態や南京錠２２１、多重ロック器具の形態を適宜の形態にしてあることにより、図６に示す状態で環状部材２１７にかかっている南京錠が１つになったときであってスティックロック２０１の本体部２０３をピンロック型回路遮断器ＣＦの貫通孔ＨＬから抜くべく上方に持ち上げたときに、本体部２０３はある程度貫通孔ＨＬ（ピンロック型回路遮断器ＣＦ）に対して上方に移動するが、残った１つの南京錠（たとえば、南京錠２２３）が障害になって、本体部２０３がピンロック型回路遮断器ＣＦの貫通孔ＨＬから抜けきれないようになっている。そして、ピンロック型回路遮断器ＣＦが復帰できないようになっている。
【００６９】
ピンロック型回路遮断器ＣＦが設けられている制御盤ＢＸにより制御される装置や機械やシステムは、ピンロック型回路遮断器ＣＦのボタンＢＴが押し込まれているときには、前述したように、たとえば、電源の供給が遮断されて動作しないようになっている。
【００７０】
そして、ピンロック型回路遮断器ＣＦのボタンＢＴが押し込まれているときに形成される貫通孔ＨＬに、スティックロック２０１（本体部２０３）が挿入されて、本体部２０３から延出している環状部材２１７に、複数の南京錠２２１又は／及び多重ロック器具がかけられている場合あっては、総ての南京錠を環状部材１７から外さない限り、スティックロック２０１がピンロック型回路遮断器ＣＦの貫通孔ＨＬから抜け出ることはなく、前記装置や機械やシステムは決して作動することはない。
【００７１】
したがって、複数の作業者が前記装置や機械やシステムの修理やメンテナンス等に携わるときに、各作業者のそれぞれが、南京錠を環状部材２１７（ピンロック型回路遮断器ＣＦのボタンＢＴが押し込まれているときに形成される貫通孔ＨＬに挿入されたスティックロック２０１の本体部２０３から延出している環状部材２１７）にかけておけば、総ての作業者の南京錠を環状部材２１７から外されない限り、ピンロック型回路遮断器ＣＦの貫通孔ＨＬからスティックロック２０１が抜け出ることはなく、前記装置や機械やシステムが作動することはなく、総ての作業者の安全が確保されるようになっている。
【００７２】
また、本体部２０３の他端部側（図６の下側）の肉部には、他端から一端部側に向かって（図６の下から上に向かって）延びている「Ｌ」字状の切り欠き２２９が形成されている。また、先端部材２１５の小径部２１１の側面には突起２３１が形成されている。そして、本体部２０３に先端部材２１５を設置する場合には、先端部材２１５の突起２３１を本体部２０３の溝２２９に係合させて、突起２３１が溝２２９の奥２３３に当接するまで先端部材２１５を本体部２０３側に移動する。突起２３１が溝２２９の奥２３３に当接したら本体部２０３に対して先端部材２１５を僅かに回転し、この後、本体部２０３から先端部材２１５を抜き取る方向に僅かに移動することにより、溝２２９の最も奥部２３５に突起２３１が位置する。このように設置されることによって、先端部材２１５が本体部２０３から容易には離れないようになっている。
【００７３】
なお、前述した突起２３１や溝２２９を設ける代わりに、ネジを用いて、本体部２０３に対して先端部材２１５を着脱自在にしてあってもよい。すなわち、先端部材２１５の小径部２１１の外周にオスネジを形成し、本体部２０３の端部の内側にメスネジを設けた構成であってもよい。
【００７４】
ただし、ネジを用いる場合にあっては、先端部材２１５の着脱の際、先端部材２１５を本体部２０３に対して複数回回転する必要があるので、環状部材２１７が先端部材２１５に対して回転自在に係合しているものとする。すなわちたとえば、図９に示すように、小径の環状部位２３７とこの小径の環状部位２３７を構成要素の一部としている大径の環状部位２３９とで環状部材２１７を構成し、小径の環状部位２３７を段付ボルト（図示せず）によって先端部材２１５に係合した構成になっていればよい。
【００７５】
なお、段付ボルトは、頭部とネジ部との間に円柱状の中間部を設けた構成であり、中間部は、外径が小径の環状部位２３７の内径よりも小さく形成されている。段付ボルトのネジ部の外径は中間部の外径よりも小さくなっており、段付ボルトの頭部の外径は、小径の環状部位２３７の外径よりも大きくなっており、段付ボルトの中間部の高さは、小径の環状部位２３７を構成している部材の線径よりも大きくなっている。
【００７６】
段付ボルトは、ネジ部が先端部材２１５に設けられたメスネジに螺合して先端部材２１５に一体的に設けられ、このときに中間部と頭部とが先端部材２１５の小径部位２１１の端部から突出している。また、環状部材２１７の小径の環状部位２３７の環の中に段付ボルトの中間部が入り込んでいることにより、環状部材２１７が先端部材２１５に対して、回転自在に係合している。
【００７７】
なお、図６等に示すように、突起２３１と「Ｌ」字状の切り欠き２２９を設けた場合において、環状部材２１７が先端部材２１５に対して回転自在に係合していてもよい。
【００７８】
さらに、図１０に示すように、環状部材を平ベルト状もの２４１のように構成してもよい。なお、この場合においても、環状部材２４１の幅は、ピンロック型回路遮断器ＣＦのＨＬ貫通孔の内径よりも僅かに小さいものとする。また、平ベルト状の環状部材２４１が先端部材２１５に設置されるときには、平ベルト状の環状部材２４１の貫通孔２４３が、環状部材２１７の小径の環状部位２３７の場合と同様にして段付ボルトが係合するもとする。
【００７９】
平ベルト状の環状部材２４１の幅がピンロック型回路遮断器ＣＦの貫通孔ＨＬの内径よりも僅かに小さいので、平ベルト状の環状部材２４１が、ピンロック型回路遮断器ＣＦの貫通孔ＨＬの内部に入った状態は、図１１（ピンロック型回路遮断器ＣＦの貫通孔ＨＬの貫通方向や平ベルト状の環状部材２４１の長手方向から平ベルト状の環状部材２４１やピンロック型回路遮断器ＣＦの貫通孔ＨＬを見た図）に示すようになる。
【００８０】
そして、スティックロック２０１の本体部２０３をピンロック型回路遮断器ＣＦの貫通孔ＨＬから抜くべく上方に持ち上げて本体部２０３が貫通孔ＨＬから抜けてしまったときであっても、平ベルト状の環状部材２４１が貫通孔ＨＬ内に残っていれば、平ベルト状の環状部材２４１が障害になって、ピンロック型回路遮断器ＣＦが復帰できなくなっている。
【００８１】
したがって、本体部２０３の長さに対して平ベルト状の環状部材２４１の長さを十分に大きくすることができ、より多くに南京錠を環状部材２４１にかけることができる。
【００８２】
ここで、ピンロック型回路遮断器ＣＦにスティックロック２０１を取り付ける動作について説明する。
【００８３】
まず、ピンロック型回路遮断器ＣＦのボタンＢＴが押し込まれて貫通孔ＨＬが形成されており、スティックロック２０１は、図８に示すように、先端部材２１５は本体部２０３に設置されているものとする。
【００８４】
この状態で、図８に示すように、貫通孔ＨＬにスティックロック２０１を挿入し、続いて、先端部材２１５を本体部２０３から離し、環状部材２１７を露出させる。続いて、南京錠２２１又は／及び多重ロック器具を環状部材２１７にかける。スティックロック２０１をピンロック型回路遮断器ＣＦから外すときは逆の動作をすればよい。
【００８５】
スティックロック２０１によれば、環状部材２１７が弾性を備えているので、南京錠２２１又は／及び多重ロック器具を環状部材２１７にかけるときにまたかけ終わったときに、環状部材２１７が適宜撓む。したがって、ピンロック型回路遮断器ＣＦが制御盤ＢＸの壁等に取り付けられていても、壁等が障害物になることはなく、南京錠２２１又は／及び多重ロック器具にかけてピンロック型回路遮断器ＣＦの多重ロックを容易に行うことができる。
【００８６】
また、先端部材２１５が本体部２０３に着脱自在になっているので、ピンロック型回路遮断器ＣＦの貫通孔ＨＬに多重ロック器具２０１を挿入する場合、先端部材２１５に本体部２０３を設置しておけば、上記挿入操作が容易になり、ピンロック型回路遮断器ＣＦへのスティックロック２０１の設置が容易になる。
【００８７】
なお、スティックロック２０１は、装置の制御盤、操作盤などに組み込まれたピンロック型回路遮断器を多重ロックするためのスティックロックにおいて、剛性を備えて構成され前記ピンロック型回路遮断器の遮断状態を維持するために、遮断状態を維持している前記ピンロック型回路遮断器の貫通孔に挿入される本体部と、前記貫通孔を通過可能な形態に形成されて前記本体部の一端部に設けられ複数の南京錠のフックをかけることができると共に長手方向では剛性が大きく長手方向以外の少なくとも一方向では可撓性を備えて構成されている弾性部材と、前記本体部を前記ピンロック型回路遮断器の貫通孔に挿入したときに、前記本体部が前記貫通孔から抜け出てしまうことを防止するために、前記本体部の他端部に設けられたストッパー部材とを有するスティックロックの例である。
【００８８】
なお、前述した実施の形態では、ロックアウトシステム・ウエストケース１が作業者の腰部に装着される状態で説明しているが、作業者の他の箇所で身に着ける場合にも適用されるものである。
【図面の簡単な説明】
【００８９】
【図１】この発明の実施の形態のロックアウトシステム・ウエストケースに各種のロックアウト用具を収納し、かつ開いた状態を示す斜視図である。
【図２】図１のロックアウトシステム・ウエストケースに各種のロックアウト用具を収納して表側を示した斜視図である。
【図３】図２の裏側を図示した斜視図である。
【図４】図１のロックアウトシステム・ウエストケースに各種のロックアウト用具を収納する前の状態を示す斜視図である。
【図５】図１のロックアウトシステム・ウエストケースから鍵及び線条体を引き出す状況と、ロックアウト用掛け金に錠を掛ける状況を示す状態説明図である。
【図６】スティックロック２０１の概略構成を示す図である。
【図７】スティックロック２０１の概略構成を示す図で、図６におけるＶＩＩ−ＶＩＩ線に沿った断面図である。
【図８】スティックロック２０１の概略構成を示す図である。
【図９】環状部材２１７の一例を具体的に示す図である。
【図１０】平ベルト状の環状部材２４１を示す図である。
【図１１】ピンロック型回路遮断器ＣＦの貫通孔ＨＬの貫通方向から平ベルト状の環状部材２４１やピンロック型回路遮断器ＣＦの貫通孔ＨＬを見た図である。
【図１２】本発明の実施形態に係るスティックロック２０１が使用されるピンロック型回路遮断器ＣＦの概略を示す図である。
【符号の説明】
【００９０】
１  ロックアウトシステム・ウエストケース
３  ロックアウト用具
５  帯状体（収納具本体）
９  ベルト用掛止部
１１  端縁
１３  留め金具
１７（２０１）  ロックアウト用多重ロック器具
１９  南京錠（錠）
２１  鍵（キー）
２３  金属製ワイヤ（線条体）
２５  ロック式キーリールホルダ
２７  スティックロック
４３  シャンク（足）
４９  ロック式キーホルダ部
５３  掛止金具
５５  キーリールホルダ用収納部
５７  鍵用収納部
５９  錠用収納部
６１  ホルダ・錠用収納部
６７  錠用穴部
６９  多重ロック器具用収納部
７７  スティックロック用収納部
７９  筒状部
２０１（２７）  スティックロック
２０３  本体部
２０５  ストッパー部材
２１５  先端部部材
２１７、２４１  環状部材
２２１  南京錠
２２９  溝
２３１  突起
ＣＦ  ピンロック型回路遮断器
ＨＬ  貫通孔
【図１】
0005201928.tif 000002
【図２】
0005201928.tif 000003
【図３】
0005201928.tif 000004
【図４】
0005201928.tif 000005
【図５】
0005201928.tif 000006
【図６】
0005201928.tif 000007
【図７】
0005201928.tif 000008
【図８】
0005201928.tif 000009
【図９】
0005201928.tif 000010
【図１０】
0005201928.tif 000011
【図１１】
0005201928.tif 000012
【図１２】
0005201928.tif 000013